(57)【要約】【課題】飼育する観賞魚に頻繁な水温の変化によるストレスを与えない保温性の高い観賞魚用水槽を提供する【解決手段】透明ガラス製又は透明アクリル樹脂製水槽において、水槽の前面の観賞用窓部を除く三方の側壁と底面に、水槽面側から断熱塗料層３１、発泡ウレタンフォーム層３３および発泡ポリプロピレンシート層３５を順次積層してなる断熱壁３を設けると共に、水槽本体１１の上部開放面に嵌合する断熱構造を有する蓋２を設けているので、保温効果が極めて高く、水温の変化が緩やかになり、小型魚に対する水温の変化によるストレスを低減する。【選択図】図３
0003210492.tif 000002
【実用新案登録請求の範囲】
【請求項１】
温度制御装置を備えた観賞魚用の透明ガラス又は透明アクリル樹脂製の水槽において、該
水槽の前面の観賞用窓部を除く三方の側壁と底面に水槽面側から断熱塗料層、発泡ウレタ
ンフォーム層および発泡ポリプロピレンシート層を順次積層してなる断熱壁を設けると共
に、該水槽の上部開放面に嵌合する断熱構造を有する蓋を設けたことを特徴とする観賞魚
用水槽。
【請求項２】
前記断熱塗料層、発泡ウレタンフォーム層および発泡ポリプロピレンシート層はそれぞれ
接着剤で相互に接合されていることを特徴とする請求項１記載の観賞魚用水槽。
【請求項３】
前記接着剤には防かび剤添加の接着剤を使用することを特徴とする請求項２記載の観賞魚
用水槽。
【請求項４】
前記断熱塗料層には任意の着色剤を添加した断熱塗料を使用することを特徴とする請求項
１記載の観賞魚用水槽。
【請求項５】
前記断熱構造を有する蓋として２枚の透明ガラス又は透明アクリル樹脂製の板の間に断熱
用の空気層を設けた蓋を使用することを特徴とする請求項１記載の観賞魚用水槽。
【請求項６】
前記温度制御装置として水温に応じてヒーターの電気回路を開平する開平スイッチを備え
たヒーターを使用することを特徴とする請求項１記載の観賞魚用水槽。
【請求項７】
前記ヒーターは前記観賞用窓部の内面に沿って該水槽の底部に設置することを特徴とする
請求項６記載の観賞魚用水槽。
【請求項８】
前記温度制御装置として水温に応じてクーラーの電気回路を開平する開平スイッチを備え
たクーラーを使用することを特徴とする請求項１記載の観賞魚用水槽。
【請求項９】
前記クーラーは前記観賞用窓部の内面に沿って該水槽の底部に設置することを特徴とする
請求項８記載の観賞魚用水槽。
【考案の詳細な説明】
【技術分野】
【０００１】
本考案は観賞魚用水槽、特に温度制御装置付の観賞魚用水槽に関する。
【背景技術】
【０００２】
養魚用の水槽の温度を一定に保つために、電子回路で温度を制御するためのヒーターを備
えた水槽は既に一般の実用に供せられている。また、その温度管理を容易にし、消費電力
を抑えるために水槽の外壁及び底部を断熱構造とすることも既に提案されている（特開２
００３−２６５０６５公報参照）。
【先行技術文献】
【特許文献】
【０００３】
【特許文献１】特開２００３−２６５０６５
【考案の概要】
【考案が解決しようとする課題】
【０００４】
特開２００３−２６５０６５号公報記載の養魚用水槽は、水槽の外周壁と底部を断熱構造
として、水温の管理を容易にし、消費エネルギーを抑制している。その断熱構造は、二枚
の外周壁の間にウレタン樹脂を介在させたものである。一般に断熱材のウレタン樹脂とは
発泡ポリウレタンのことを指すものと思われるが、観賞魚用水槽の場合は、１層の発泡ウ
レタン樹脂の断熱層では、保温効果が不十分で、直ぐに温度が降下するので、開閉スイッ
チが頻繁にオンオフを繰り返す。その結果、水槽内の水温が頻繁に上下する。大型魚を飼
育する養魚用の水槽の場合は、大型魚は水温の変化に対する耐性が強いので、あまり問題
がないが、小型の金魚や熱帯魚等の観賞魚の場合は、水温の変化に敏感で、水温の上下が
頻繁に繰り返されるとストレスのため、活力が弱くなり生存率が低くなるという欠点があ
る。
本考案は前記問題を解決するために、飼育する観賞魚に頻繁な水温の変化によるストレス
を与えない保温性の高い観賞魚用水槽を提供することを目的とする。
【課題を解決するための手段】
【０００５】
本考案の観賞魚用水槽は、温度制御装置を備えた観賞魚用の透明ガラス製又は透明アクリ
ル樹脂製水槽において、水槽の前面の観賞用窓部を除く三方の側壁と底面に、水槽面側か
ら断熱塗料層、発泡ウレタンフォーム層および発泡ポリプロピレンシート層を順次積層し
てなる断熱壁を設けると共に、該水槽の上部開放面に嵌合する断熱構造を有する蓋を設け
たことを特徴とする。
前記発泡ウレタンフォーム層は硬質発泡ウレタンフォームを使用するのが好ましい。この
水槽は、熱帯魚、金魚、メダカ、小エビなどの温度変化に敏感な観賞魚の飼育に最適であ
る。
【０００６】
前記断熱壁は断熱塗料層、発泡ウレタンフォーム層および発泡ポリプロピレンシート層は
それぞれ接着剤で相互に接合されて、前記水槽の外表面に一体的に接合されている。接着
剤としては、防かび剤を含む接着剤を使用することが好ましい。
【０００７】
前記断熱塗料は任意の着色剤を添加した断熱塗料を使用することが好ましい。任意の着色
剤としては黒色、茶色、水色、白色等が好ましく用いられる。
【０００８】
前記断熱構造を有する蓋は二枚のガラス板又はアクリル樹脂製板の間にアクリル樹脂製等
の棒状の素材で造られた略方形の枠組を挟み込んで三者を接着剤で接合して構成される。
この略方形の枠組の間に空気層が形成され断熱効果を高めることができる。
【０００９】
前記温度制御装置としては、水温に応じてヒーターの電気回路を開閉する開閉スイッチを
備えたヒーターを使用することができる。開閉スイッチとしてはバイメタルを使用するサ
ーモスタットや半導体を使用するサイリスター等が有利に使用される。このヒーターは、
前記観賞用窓部の内面に沿って水槽の底部に設置することを推奨する。
【００１０】
また、前記温度制御装置として、水温に応じてクーラーの電気回路を開閉する開閉スイッ
チを備えたクーラーを使用することができる。このクーラーを備えた水槽は、チョウザメ
の様な高水温を嫌う魚類の観賞魚用水槽としても使用できる。このクーラーは、前記観賞
用窓部の内面に沿って水槽の底部に設置することを推奨する。
【考案の効果】
【００１１】
本考案の観賞魚用水槽は、温度制御装置を備えた観賞魚用の透明ガラ又は透明アクリル樹
脂製製水槽において、水槽の前面の観賞用窓部を除く三方の側壁と底面に、水槽面側から
断熱塗料層、発泡ウレタンフォーム層および発泡ポリプロピレンシート層を順次積層して
なる断熱壁を設けると共に、該水槽の上部開放面に嵌合する断熱構造を有する蓋を設けて
いるので、保温効果が極めて高く、水温が冷めにくいので温度制御用の開閉スイッチの開
閉間隔が長くなり、水温の変化が緩やかになり、小型魚に対する水温の変化によるストレ
スを与えることが少なくなり、小型魚の活性と生存率を高めることができる。
【００１２】
本発明の観賞魚用水槽の断熱壁を構成する断熱塗料を用いているが、断熱塗料はガラスや
アクリル樹脂との接着性が高いので、発泡ウレタンフォームを積層するための中間層とし
て最適である。また、断熱塗料層は断熱効果を発揮するばかりでなく、水槽の内面から透
視することができるので、水槽の内面のバックカラーとして機能することができる。また
、断熱塗料には任意の着色剤を添加することができるので、水槽前面の観賞用窓部から内
部を覗くと、水槽内の三方の壁が任意の色彩で彩られ水槽の内部の景観を好ましくするこ
とができる。特に、黒色や茶色を使用した場合は、魚が落着き魚の活性の向上に有効であ
ると共に、魚の体色を引き立たせる。
水色を使用した場合は水底又は海底の感触を醸し出す、白色を使用した場合は、黒色の魚
が美しく見える、メダカのように特に小さな魚が見えやすくなる等の効果がある。
【００１３】
本発明の観賞魚用水槽の断熱壁を構成する発泡ウレタンフォーム層は断熱性が極めて高い
ので断熱壁の主役として機能する。しかし、発泡ウレタンフォームはその表面がざらざら
しており、傷に弱くまた汚れやすい。そこで、断熱壁の表面に発泡ポリプロピレンシート
を積層した。発泡ポリプロピレンシートは表面が滑らかで、傷がつきにくくまた汚れにく
い特性を持っているので、観賞魚用水槽の表面を美しく仕上げることができる。
【００１４】
本考案の観賞魚用水槽の断熱壁の各層の接合用に防かび剤を添加した接着剤を使用するの
で接合面にカビの発生を防ぐことができる。
【００１５】
本発明の観賞魚用水槽の温度制御装置として、水温に応じてヒーターを開閉する開閉スイ
ッチを備えたヒーターを使用するので、常に水温を一定にできる。しかも、断熱壁と断熱
構造の蓋の存在により保温効果が高いので、ヒーターのワット数を小さくしても少ない電
力で温度を上げることができる。そして、ヒーターのワット数を小さくすると、下限の設
定温度に達して開閉スイッチがオンになってヒーターが起動してから上限の規定温度に達
するまでの時間が長くなり、すなわち、ゆっくり温度が上昇する。また、上限の設定温度
に達すると開閉スイッチはオフになり水槽内の水温の自然冷却が始まるが、水槽の保温効
果が極めて高いので、緩やかに温度降下が行われる。したがって、水温の上下動が極めて
緩やかに行われるので、温度変化による魚に対する刺激が少なくなり、魚のストレスを少
なくする効果がある。
【００１６】
本発明の観賞魚用水槽の温度制御装置のヒーターを観賞用窓部の内面に沿って水槽の底部
に設置しているので、観賞用窓部の内面に沿って暖かい水が上昇し、循環するので、窓部
から外部の冷エネルギーが侵入するのを遮断して水温の保温効果を高める。さらに、前述
の断熱壁と断熱構造の蓋の存在による保温効果と相まって、ヒーター加熱による温度上昇
を緩やかにすることができるので、魚に対する刺激を少なくし、魚のストレスを少なくす
る効果がある。
【００１７】
本発明の観賞魚用水槽の温度制御装置として、水温に応じてクーラーの電気回路を開閉す
る開閉スイッチを備えたクーラーを使用し、それを観賞用窓部の内面に沿って水槽の底部
に設置することにより、温度変化を緩やかにして小型の観賞魚のストレスを軽減できる。
【図面の簡単な説明】
【００１８】
【図１】本考案の観賞魚用水槽の一実施例を示す斜面図。
【図２】本考案の観賞魚用水槽の蓋の裏面図。
【図３】図１のＡ−Ａ線による縦断面図。
【図４】本考案の観賞魚用水槽のフレームを取り外した本体の平面図。
【図５】図３のＢ−Ｂ線による横断面図。
【考案を実施するための形態】
【００１９】
図１は本考案の観賞魚用水槽の一実施例を示す斜面図であって、１は観賞魚用水槽、１１
はガラス製又はアクリル樹脂製水槽本体、２は本体１１の上部開放面に嵌合できる蓋、３
は断熱壁、４は断熱壁３の切口をふさぐためのアルミまたは合成樹脂製のフレーム、５は
水槽１の前面の観賞用窓部、６はヒーター、７はヒーター６の温度制御装置としてのサー
モスタットである。７１はサーモスタット７のコード、７２はボリューム、７３はランプ
、７４はプラグである。
【００２０】
蓋２は図２の裏面図に示すように、水槽１の上面の外形と同じ大きさのガラス製又はアク
リル樹脂製の上板２１とそれよりも一回り小さい寸法の同じ材質の下板２２、および、ア
クリル樹脂製の四角の棒材を下板２２の外形に合わせて組み付けた組枠２３よりなり、前
記上板２１の上に四周にフランジ部２４を残して前記組枠２３を接着剤で貼り付け、さら
に該組枠２３の上に下板２２を接着剤で張り付けて、図３に示すように、内部に空洞２５
を構成する。
【００２１】
断熱壁３は、図３及び図４に示されるように、水槽本体１１の左右裏面の三方の側壁およ
び底面に設けられている。断熱壁３は、断熱塗料層３１、発泡ポリウレタンフォーム層３
３、発泡ポリプロピレンシート層３５より構成されているが、より詳しくその構造を説明
すると図５に示すようにガラス製の水槽本体１１のガラス面に、断熱塗料を塗布して断熱
塗料層３１を形成する。次に発泡ポリウレタンフォームを断熱塗料層３１上に接着剤３２
で接合して発泡ポリウレタンフォーム層３３を形成する。さらに、その上に抗かび剤を添
加した接着剤３４で発泡ポリプロピレンシートを接合して発泡ポリプロピレンシート層３
５を形成する。
【００２２】
具体的な材料名を挙げれば、断熱塗料としてはアクリル系断熱コート（東日本塗料株式会
社製）やアクリルシリコーン樹脂断熱塗料：断熱コートＥＸ（東日本塗料株式会社製）、
発泡ポリウレタンフォームとしては、スタイロフオーム（登録商標）（ダウ加工株式会社
製）、発泡ポリプロピレンシートとしては、ＰＰシート（アクリルサンデー株式会社製）
、接着剤としては防かび剤入りシリコーンシーラント・セメダイン８０７０プロ（セメダ
イン株式会社製）が好ましく用いられる。
【００２３】
断熱壁３の切口にはアルミまたは合成樹脂製のフレーム４がシリコーンコーキング材で接
合されている。
【００２４】
図１においてヒーター６としては市販用の水中ヒーターを用いることができる。温度制御
装置としては市販のサーモスタット７が用いられる。ヒーター６は図１に示すように観賞
用窓部５の内面に沿って水槽本体１１の床に配置するのが好ましい。
サーモスタット７のコード７１を導入するために蓋２の角部を斜めに切断して切欠き部２
６を設ける。
【符号の説明】
【００２５】
１  観賞魚用水槽
２  蓋
３  断熱壁
４  フレーム
５  観賞用窓部
６  ヒーター
７  サーモスタット
【図１】
0003210492.tif 000003
【図２】
0003210492.tif 000004
【図３】
0003210492.tif 000005
【図４】
0003210492.tif 000006
【図５】
0003210492.tif 000007